(57)【要約】【課題】誤り訂正可能なデュアルリンク信号を伝送する送信装置、受信装置及びプログラムを提供する。【解決手段】送信装置１において、誤り訂正符号化部１０の誤り訂正符号化パリティデータ算出部３４は、誤り訂正符号化対象データ設定値の示す誤り訂正符号化対象データに対し、誤り訂正符号化方法設定値の示す誤り訂正符号化方法にて誤り訂正符号化処理を施し、誤り訂正符号化パリティデータを算出する。リンクＢライン生成部３５−２は、リンクＢのデュアルリンク信号における予約ビット及び偶数パリティのデータを削除し、誤り訂正符号化パリティデータ配置設定値の示す位置に、誤り訂正符号化パリティデータをマッピングする。そして、誤り訂正符号化されたリンクＡ，Ｂのデュアルリンク信号は、伝送路３を介して受信装置２へ送信される。【選択図】図５
2014003492.tif 000002
【特許請求の範囲】
【請求項１】
付加ブロック及び映像ブロックにより構成され、２系統の信号からなるデュアルリンク信号を送信する送信装置において、
前記デュアルリンク信号を構成する付加ブロック及び映像ブロックに含まれる所定のデータを誤り訂正符号化対象データとして抽出し、前記誤り訂正符号化対象データに対して誤り訂正符号化処理を施し、誤り訂正符号化パリティデータを算出し、前記デュアルリンク信号を構成する映像ブロックにおける映像データ以外の領域を用いて、前記誤り訂正符号化パリティデータを含む新たなデュアルリンク信号を生成する誤り訂正符号化部と、
前記誤り訂正符号化部により生成された新たなデュアルリンク信号を送信する送信部と、
を備えたことを特徴とする送信装置。
【請求項２】
請求項１に記載の送信装置において、
前記誤り訂正符号化部は、
前記デュアルリンク信号を構成する付加ブロック及び映像ブロックに含まれるデータのうち、所定のデータを誤り訂正符号化対象データとして抽出する誤り訂正符号化対象データ抽出部、
前記誤り訂正符号化対象データ抽出部により抽出された誤り訂正符号化対象データに対し、所定の誤り訂正符号化方法にて誤り訂正符号化処理を施し、誤り訂正符号化パリティデータを算出する誤り訂正符号化パリティデータ算出部、及び、
前記デュアルリンク信号を構成する映像ブロックに含まれる予約ビット、偶数パリティ、または予約ビット及び偶数パリティのデータのうちのいずれかを削除し、前記削除したデータの領域を用いて、前記誤り訂正符号化パリティデータ算出部により算出された誤り訂正符号化パリティデータを含む新たなデュアルリンク信号を生成する生成部を有することを特徴とする送信装置。
【請求項３】
請求項１または２に記載の送信装置において、
前記誤り訂正符号化対象データを、前記デュアルリンク信号を構成する付加ブロックに含まれる全てのデータ及び映像ブロックに含まれる全ての映像データ、前記デュアルリンク信号を構成する付加ブロックに含まれる一部のデータ及び映像ブロックに含まれる全ての映像データ、または、前記デュアルリンク信号を構成する映像ブロックに含まれる全ての映像データのうちのいずれかのデータとすることを特徴とする送信装置。
【請求項４】
請求項２に記載の送信装置において、
前記誤り訂正符号化部の生成部は、
前記デュアルリンク信号を構成する映像ブロックに含まれる予約ビット及び偶数パリティのデータを削除し、前記映像ブロックに含まれる映像データを前記映像ブロックの前方に配置すると共に、前記誤り訂正符号化パリティデータ算出部により算出された誤り訂正符号化パリティデータを前記映像ブロックの後方に配置し、前記新たなデュアルリンク信号を生成することを特徴とする送信装置。
【請求項５】
請求項２に記載の送信装置において、
前記誤り訂正符号化部の生成部は、
前記デュアルリンク信号を構成する映像ブロックに含まれる予約ビット、偶数パリティ、または予約ビット及び偶数パリティのデータのうちのいずれかを削除し、前記誤り訂正符号化パリティデータ算出部により算出された誤り訂正符号化パリティデータを、前記削除した予約ビット、偶数パリティ、または予約ビット及び偶数パリティのデータの領域に配置し、前記新たなデュアルリンク信号を生成することを特徴とする送信装置。
【請求項６】
請求項１に記載の送信装置から送信されたデュアルリンク信号を受信する受信装置であって、
前記デュアルリンク信号から前記誤り訂正符号化対象データに対応するデータを誤り訂正復号化対象データとして抽出すると共に、前記デュアルリンク信号に含まれる誤り訂正符号化パリティデータを誤り訂正復号化パリティデータとして抽出し、前記誤り訂正復号化対象データ及び誤り訂正復号化パリティデータを用いて、前記誤り訂正符号化処理に対応する誤り訂正復号化処理を施し、誤り訂正復号化データを演算し、前記誤り訂正復号化データに基づいて、元のデュアルリンク信号を生成する誤り訂正復号化部を備えたことを特徴とする受信装置。
【請求項７】
請求項２に記載の送信装置から送信されたデュアルリンク信号を受信する受信装置であって、
前記デュアルリンク信号を構成する付加ブロック及び映像ブロックに含まれるデータのうち、前記誤り訂正符号化対象データに対応するデータを誤り訂正復号化対象データとして抽出すると共に、前記デュアルリンク信号に含まれる誤り訂正符号化パリティデータを誤り訂正復号化パリティデータとして抽出する誤り訂正復号化データ抽出部、
前記誤り訂正復号化データ抽出部により抽出された誤り訂正復号化対象データ及び誤り訂正復号化パリティデータを用いて、前記誤り訂正符号化方法に対応する誤り訂正復号化方法にて誤り訂正復号化処理を施し、誤り訂正復号化データを演算する誤り訂正復号化演算部、及び、
前記誤り訂正復号化演算部により演算された誤り訂正復号化データに基づいて、元のデュアルリンク信号を生成する生成部を有することを特徴とする送信装置。
【請求項８】
請求項５に記載の送信装置から送信されたデュアルリンク信号を受信する受信装置であって、
前記デュアルリンク信号を構成する付加ブロック及び映像ブロックに含まれるデータのうち、前記誤り訂正符号化対象データに対応するデータを誤り訂正復号化対象データとして抽出すると共に、前記デュアルリンク信号に含まれる誤り訂正符号化パリティデータを誤り訂正復号化パリティデータとして抽出する誤り訂正復号化データ抽出部、
前記誤り訂正復号化データ抽出部により抽出された誤り訂正復号化対象データ及び誤り訂正復号化パリティデータを用いて、前記誤り訂正符号化方法に対応する誤り訂正復号化方法にて誤り訂正復号化処理を施し、誤り訂正復号化データを演算する誤り訂正復号化演算部、及び、
前記誤り訂正復号化演算部により演算された誤り訂正復号化データに基づいて、元のデュアルリンク信号を生成する生成部を有し、
前記生成部は、
前記予約ビットのデータが前記送信装置にて削除された場合には、前記予約ビットのデータを所定位置に配置し、前記偶数パリティのデータが前記送信装置にて削除された場合には、前記予約ビットのデータ及び前記誤り訂正復号化データに含まれる映像データに基づいて偶数パリティのデータを算出し、前記偶数パリティのデータを所定位置に配置し、前記新たなデュアルリンク信号を生成することを特徴とする送信装置。
【請求項９】
コンピュータを、請求項１から５までのいずれか一項に記載の送信装置として機能させるためのプログラム。
【請求項１０】
コンピュータを、請求項６から８までのいずれか一項に記載の受信装置として機能させるためのプログラム。
【発明の詳細な説明】
【技術分野】
【０００１】
本発明は、デュアルリンク（ｄｕａｌ  ｌｉｎｋ）信号を伝送する送信装置、受信装置及びプログラムに関する。
【背景技術】
【０００２】
従来、１フレーム（１画面分）が１９２０サンプル×１０８０ラインの高精細映像をシリアル伝送する規格として、ＳＭＰＴＥ（米国映画テレビ技術者協会）により定められた伝送規格が知られている（非特許文献１を参照）。この規格では、各画素が１０ビットで量子化された輝度／色差信号（ＹＰｂＰｒ  ４：２：２方式）から構成され、フレーム周波数３０Ｈｚの高精細映像として、１フレームを規定したＨＤ−ＳＤＩ伝送フォーマットに従って、１０８０ライン分の信号が順次シリアル伝送される。この場合の映像データの情報伝送速度は、約１．２４Ｇｂｐｓに達する。
【０００３】
また、更なる高精細化の需要に対応するために、２本のＨＤ−ＳＤＩ伝送フォーマットの信号（デュアルリンク（ｄｕａｌ  ｌｉｎｋ）信号）を用いて、情報伝送速度を増大させた高精細映像の伝送方式が規格化されている（非特許文献２を参照）。この規格では、映像データを構成する各画素が１２ビットで量子化され、空間サンプル数の間引きを行わない色信号（ＲＧＢ  ４：４：４方式）からなるフレーム周波数３０Ｈｚの高精細映像として、リンクＡ及びリンクＢの２本のＨＤ−ＳＤＩ伝送フォーマットに従って振り分けられる。そして、リンクＢについては、伝送信号の信頼性を向上させるために、映像データが伝送されない空きビットに、一部の映像データに対する誤り検出ビットが付加されて伝送される。この場合の映像データの情報伝送速度は、約２．２４Ｇｂｐｓに達する。
【０００４】
尚、デュアルリンク信号を１本のリンク（ｓｉｎｇｌｅ  ｌｉｎｋ）で伝送する伝送方式（３ＧＢ／ｓ  Ｓｉｇｎａｌ／Ｄａｔａ  Ｓｅｒｉａｌ  Ｉｎｔｅｒｆａｃｅ  Ｌｅｖｅｌ  Ｂ  Ｍａｐｐｉｎｇ、以下、「３Ｇ−ＳＤＩ信号」という。）も規格化されている（非特許文献３を参照）。
【０００５】
また、最大４組のデュアルリンク信号を用いて、１フレームが３８４０サンプル×２１６０ラインの超高精細映像を、１２ビット量子化、ＲＧＢ  ４：４：４方式及びフレーム周波数３０Ｈｚで伝送するフォーマットが規格化されている（非特許文献４を参照）。この場合の映像データの情報伝送速度は、約８．９６Ｇｂｐｓに達する。
【０００６】
さらに、最大３２組のデュアルリンク信号を用いて、１フレームが７６８０サンプル×４３２０ラインの超高精細映像を、１２ビット量子化、ＲＧＢ  ４：４：４方式及びフレーム周波数６０Ｈｚで伝送するフォーマットが規格化されている（非特許文献５を参照）。この場合の映像データの情報伝送速度は、約７１．７Ｇｂｐｓに達する。
【０００７】
〔デュアルリンク信号の構成〕
ここで、デュアルリンク信号の構成について説明する。図１は、非特許文献２に規定された１ライン分のデュアルリンク信号の構成を示す図である。図１に示すように、デュアルリンク信号は、リンクＡ及びリンクＢの２本（２系統）の信号から構成される。デュアルリンク信号は、各リンクにおいて、付加ブロック及び映像ブロックから構成される。
【０００８】
付加ブロックは、ＥＡＶ（Ｅｎｄ  ｏｆ  Ａｃｔｉｖｅ  Ｖｉｄｅｏ）、ＬＮ（Ｌｉｎｅ  Ｎｕｍｂｅｒ）、ＣＲＣＣ（Ｃｙｃｌｉｃ  Ｒｅｄｕｎｄａｎｃｙ  Ｃｈｅｃｋ  Ｃｏｄｅ）、補助データ及びＳＡＶ（Ｓｔａｒｔ  ｏｆ  Ａｃｔｉｖｅ  Ｖｉｄｅｏ）を含む。ＥＡＶは、有効な映像データ期間の終了を示す識別子であり、サイズは４サンプル×２＝８ワード（１ワードは１０ビットである。）である。ＬＮは、ライン番号を示すデータであり、サイズは２サンプル×２＝４ワードである。ＣＲＣＣは、誤り検出符号データであり、サイズは２サンプル×２＝４ワードである。ＳＡＶは、有効な映像データの期間の開始を示す識別子であり、サイズは４サンプル×２＝８ワードである。補助データは、音声データ及びタイムコードデータ等であり、サイズは２６８サンプル×２＝５３６ワードである。各リンクの付加ブロックのサイズは、２８０×２＝５６０ワードである、
【０００９】
映像ブロックは、映像データ、予約ビット（図中の“Ｒｅｓ”ビットを指す。）、偶数パリティビット（図中の“ＥＰ”ビットを指す。）及び偶数パリティビットの反転ビット（図中の上バーが付された“ＥＰ”ビットを指す。）を含む。尚、以下の説明では、偶数パリティビットと偶数パリティビットの反転ビットとを併せて偶数パリティという。）。本例では、映像データとして、各画素を１２ビットで量子化し、空間サンプル数の間引きを行わない色信号（ＲＧＢ  ４：４：４方式）について示す。１２ビット量子化された各画素のＲＧＢ信号から構成される映像データは、リンクＡ及びリンクＢにおいて、予め規定された並びで配置される。以下の説明では、映像１ラインにおけるあるサンプルの画素について、量子化されたＲＧＢ信号を構成する各ビットを、Ｒ信号はＲｎ：ｉ、Ｇ信号はＧｎ：ｉ及びＢ信号はＢｎ：ｉとして表す。ここで、ｎはサンプル画素の番号を表し、ｉは画素値を２進数で表したときのビット位置を表す。例えば、Ｇ１０：５は、Ｇ信号における１０サンプル目の５ビット目の信号値（“０”または“１”）を表す。
【００１０】
リンクＡの信号を構成する映像ブロックでは、Ｇ信号の全てのサンプル（０〜１９１９サンプル目の信号）における２〜１１番目のビットのデータ（Ｇ０：２、・・・、Ｇ０：１１、・・・、Ｇ１９１９：２、・・・、Ｇ１９１９：１１）と、Ｂ信号及びＲ信号の偶数サンプルにおける２〜１１番目のビットのデータ（Ｂ０：２、・・・、Ｂ０：１１、・・・、Ｂ１９１８：２、・・・、Ｂ１９１８：１１、Ｒ０：２、・・・、Ｒ０：１１、・・・、Ｒ１９１８：２、・・・、Ｒ１９１８：１１）とが、１ワード毎に交互にマッピングされる。一方、リンクＢの信号を構成する映像ブロックでは、Ｒ信号、Ｇ信号及びＢ信号の全てのサンプルにおける０，１番目のビットのデータ（Ｒ０：０、Ｒ０：１、Ｂ０：０、Ｂ０：１、Ｇ０：０、Ｇ０：１、・・・、Ｒ１９１９：０、Ｒ１９１９：１、Ｂ１９１９：０、Ｂ１９１９：１、Ｇ１９１９：０、Ｇ１９１９：１）、予約ビット及び偶数パリティのデータと、Ｂ信号及びＲ信号の奇数サンプルにおける２〜１１番目のビットのデータ（Ｂ１：２、・・・、Ｂ１：１１、・・・、Ｂ１９１９：２、・・・、Ｂ１９１９：１１、Ｒ１：２、・・・、Ｒ１：１１、・・・、Ｒ１９１９：２、・・・、Ｒ１９１９：１１）とが、１ワード毎に交互にマッピングされる。偶数パリティは、リンクＢの信号を構成する映像ブロックに含まれるＲ信号、Ｇ信号及びＢ信号における０，１番目のビット及び予約ビットのデータから計算される。非特許文献２に記載されているように、予約ビットには、映像データ等の情報ではなく、値“０”の固定値が設定される。各リンクの映像ブロックのサイズは、１９２０×２＝３８４０ワードである。
【先行技術文献】
【非特許文献】
【００１１】
【非特許文献１】ＳＭＰＴＥ  ２９２−２００８
【非特許文献２】ＳＭＰＴＥ  ３７２−２００９
【非特許文献３】ＳＭＰＴＥ  ４２５−２００８
【非特許文献４】ＳＭＰＴＥ  ４３５−１−２００９
【非特許文献５】ＳＭＰＴＥ  ＳＴ２０３６−３：２０１０
【発明の概要】
【発明が解決しようとする課題】
【００１２】
図１に示したデュアルリンク信号の構成では、誤り検出のために、一部の映像データに対する誤り検出ビットであるＣＲＣＣが伝送される。このため、伝送されるデュアルリンク信号の誤りを検出することはできるが、誤りを訂正することができないという問題があった。特に、デュアルリンク信号を長距離伝送する場合には、誤りが発生する可能性が高くなる。この場合、発生した誤りを訂正し、元の正しい映像データ等に復元することにより、デュアルリンク信号の伝送の信頼性を確保することが望ましい。
【００１３】
そこで、本発明はこのような状況に鑑みてなされたものであり、その目的は、誤り訂正可能なデュアルリンク信号を伝送する送信装置、受信装置及びプログラムを提供することにある。
【課題を解決するための手段】
【００１４】
前記課題を解決するため、本発明による請求項１の送信装置は、付加ブロック及び映像ブロックにより構成され、２系統の信号からなるデュアルリンク信号を送信する送信装置において、前記デュアルリンク信号を構成する付加ブロック及び映像ブロックに含まれる所定のデータを誤り訂正符号化対象データとして抽出し、前記誤り訂正符号化対象データに対して誤り訂正符号化処理を施し、誤り訂正符号化パリティデータを算出し、前記デュアルリンク信号を構成する映像ブロックにおける映像データ以外の領域を用いて、前記誤り訂正符号化パリティデータを含む新たなデュアルリンク信号を生成する誤り訂正符号化部と、前記誤り訂正符号化部により生成された新たなデュアルリンク信号を送信する送信部と、を備えたことを特徴とする。
【００１５】
また、本発明による請求項２の送信装置は、請求項１に記載の送信装置において、前記誤り訂正符号化部が、前記デュアルリンク信号を構成する付加ブロック及び映像ブロックに含まれるデータのうち、所定のデータを誤り訂正符号化対象データとして抽出する誤り訂正符号化対象データ抽出部、前記誤り訂正符号化対象データ抽出部により抽出された誤り訂正符号化対象データに対し、所定の誤り訂正符号化方法にて誤り訂正符号化処理を施し、誤り訂正符号化パリティデータを算出する誤り訂正符号化パリティデータ算出部、及び、前記デュアルリンク信号を構成する映像ブロックに含まれる予約ビット、偶数パリティ、または予約ビット及び偶数パリティのデータのうちのいずれかを削除し、前記削除したデータの領域を用いて、前記誤り訂正符号化パリティデータ算出部により算出された誤り訂正符号化パリティデータを含む新たなデュアルリンク信号を生成する生成部を有することを特徴とする。
【００１６】
また、本発明による請求項３の送信装置は、請求項１または２に記載の送信装置において、前記誤り訂正符号化対象データを、前記デュアルリンク信号を構成する付加ブロックに含まれる全てのデータ及び映像ブロックに含まれる全ての映像データ、前記デュアルリンク信号を構成する付加ブロックに含まれる一部のデータ及び映像ブロックに含まれる全ての映像データ、または、前記デュアルリンク信号を構成する映像ブロックに含まれる全ての映像データのうちのいずれかのデータとすることを特徴とする。
【００１７】
また、本発明による請求項４の送信装置は、請求項２に記載の送信装置において、前記誤り訂正符号化部の生成部が、前記デュアルリンク信号を構成する映像ブロックに含まれる予約ビット及び偶数パリティのデータを削除し、前記映像ブロックに含まれる映像データを前記映像ブロックの前方に配置すると共に、前記誤り訂正符号化パリティデータ算出部により算出された誤り訂正符号化パリティデータを前記映像ブロックの後方に配置し、前記新たなデュアルリンク信号を生成することを特徴とする。
【００１８】
また、本発明による請求項５の送信装置は、請求項２に記載の送信装置において、前記誤り訂正符号化部の生成部が、前記デュアルリンク信号を構成する映像ブロックに含まれる予約ビット、偶数パリティ、または予約ビット及び偶数パリティのデータのうちのいずれかを削除し、前記誤り訂正符号化パリティデータ算出部により算出された誤り訂正符号化パリティデータを、前記削除した予約ビット、偶数パリティ、または予約ビット及び偶数パリティのデータの領域に配置し、前記新たなデュアルリンク信号を生成することを特徴とする。
【００１９】
さらに、本発明による請求項６の受信装置は、請求項１に記載の送信装置から送信されたデュアルリンク信号を受信する受信装置であって、前記デュアルリンク信号から前記誤り訂正符号化対象データに対応するデータを誤り訂正復号化対象データとして抽出すると共に、前記デュアルリンク信号に含まれる誤り訂正符号化パリティデータを誤り訂正復号化パリティデータとして抽出し、前記誤り訂正復号化対象データ及び誤り訂正復号化パリティデータを用いて、前記誤り訂正符号化処理に対応する誤り訂正復号化処理を施し、誤り訂正復号化データを演算し、前記誤り訂正復号化データに基づいて、元のデュアルリンク信号を生成する誤り訂正復号化部を備えたことを特徴とする。
【００２０】
また、本発明による請求項７の受信装置は、請求項２に記載の送信装置から送信されたデュアルリンク信号を受信する受信装置であって、前記デュアルリンク信号を構成する付加ブロック及び映像ブロックに含まれるデータのうち、前記誤り訂正符号化対象データに対応するデータを誤り訂正復号化対象データとして抽出すると共に、前記デュアルリンク信号に含まれる誤り訂正符号化パリティデータを誤り訂正復号化パリティデータとして抽出する誤り訂正復号化データ抽出部、前記誤り訂正復号化データ抽出部により抽出された誤り訂正復号化対象データ及び誤り訂正復号化パリティデータを用いて、前記誤り訂正符号化方法に対応する誤り訂正復号化方法にて誤り訂正復号化処理を施し、誤り訂正復号化データを演算する誤り訂正復号化演算部、及び、前記誤り訂正復号化演算部により演算された誤り訂正復号化データに基づいて、元のデュアルリンク信号を生成する生成部を有することを特徴とする。
【００２１】
また、本発明による請求項８の受信装置は、請求項５に記載の送信装置から送信されたデュアルリンク信号を受信する受信装置であって、前記デュアルリンク信号を構成する付加ブロック及び映像ブロックに含まれるデータのうち、前記誤り訂正符号化対象データに対応するデータを誤り訂正復号化対象データとして抽出すると共に、前記デュアルリンク信号に含まれる誤り訂正符号化パリティデータを誤り訂正復号化パリティデータとして抽出する誤り訂正復号化データ抽出部、前記誤り訂正復号化データ抽出部により抽出された誤り訂正復号化対象データ及び誤り訂正復号化パリティデータを用いて、前記誤り訂正符号化方法に対応する誤り訂正復号化方法にて誤り訂正復号化処理を施し、誤り訂正復号化データを演算する誤り訂正復号化演算部、及び、前記誤り訂正復号化演算部により演算された誤り訂正復号化データに基づいて、元のデュアルリンク信号を生成する生成部を有し、前記生成部が、前記予約ビットのデータが前記送信装置にて削除された場合には、前記予約ビットのデータを所定位置に配置し、前記偶数パリティのデータが前記送信装置にて削除された場合には、前記予約ビットのデータ及び前記誤り訂正復号化データに含まれる映像データに基づいて偶数パリティのデータを算出し、前記偶数パリティのデータを所定位置に配置し、前記新たなデュアルリンク信号を生成することを特徴とする。
【００２２】
さらに、本発明による請求項９のプログラムは、コンピュータを、請求項１から５までのいずれか一項に記載の送信装置として機能させることを特徴とする。
【００２３】
また、本発明による請求項１０のプログラムは、コンピュータを、請求項６から８までのいずれか一項に記載の受信装置として機能させることを特徴とする。
【発明の効果】
【００２４】
本発明によれば、従来技術におけるデュアルリンク信号の送受信インタフェースを変更することなく、かつ、情報伝送速度及び伝送路上の伝送速度を、従来技術におけるデュアルリンク信号の場合と同一に保ちながら、誤り訂正を実現することができる。
【図面の簡単な説明】
【００２５】
【図１】デュアルリンク信号の構成を示す図である。
【図２】本発明の実施形態による送信装置及び受信装置により構成される、デュアルリンク信号を送受信する伝送システムの概略構成を示すブロック図である。
【図３】本発明の実施形態による送信装置の構成を示すブロック図である。
【図４】本発明の実施形態による受信装置の構成を示すブロック図である。
【図５】誤り訂正符号化部の構成を示すブロック図である。
【図６】誤り訂正符号化設定部により設定される設定値を説明する図である。
【図７】誤り訂正復号化部の構成を示すブロック図である。
【図８】誤り訂正復号化設定部により設定される設定値を説明する図である。
【図９】実施例１における誤り訂正符号化対象データを示す図である。
【図１０】実施例１における誤り訂正符号化部のリンクＢライン生成部により生成されるデータを示す図である。
【図１１】実施例１における誤り訂正復号化部のリンクＡ，Ｂライン生成部により生成されるデータを示す図である。
【図１２】実施例２における誤り訂正符号化対象データを示す図である。
【図１３】実施例２における誤り訂正符号化部のリンクＢライン生成部により生成されるデータを示す図である。
【図１４】実施例２における誤り訂正復号化部のリンクＡ，Ｂライン生成部により生成されるデータを示す図である。
【発明を実施するための形態】
【００２６】
以下、本発明を実施するための形態について図面を用いて詳細に説明する。
〔伝送システム〕
まず、デュアルリンク信号を送受信する伝送システムの概略について説明する。図２は、本発明の実施形態による送信装置及び受信装置により構成される、デュアルリンク信号を送受信する伝送システムの概略構成を示すブロック図である。この伝送システムは、送信装置１、受信装置２及び伝送路３を備えて構成される。送信装置１は、リンクＡ，Ｂのデュアルリンク信号を入力し、入力したデュアルリンク信号に対して誤り訂正符号化処理を施し、誤り訂正符号化した信号を伝送路３へ送信する。受信装置２は、送信装置１から伝送路３を介して、誤り訂正符号化された信号を受信し、誤り訂正復号化処理を施してデュアルリンク信号を生成し、元のリンクＡ，Ｂのデュアルリンク信号として出力する。送信装置１を有する機器としてはカメラ等が想定され、受信装置２を有する機器としてはディスプレイ等が想定される。
【００２７】
例えば、カメラによる撮影で得られた映像データ信号、音声データ信号等は、ＳＭＰＴＥ  ３７２−２００９で規定されるリンクＡ，Ｂのデュアルリンク信号に変換され、送信装置１へ入力される。そして、送信装置１から送信された信号は、伝送路３を介して、当該信号を復元可能な受信装置２にて受信され、受信装置２は、リンクＡ，Ｂのデュアルリンク信号を復元し、図示しない表示部等に出力する。これにより、受信装置２において、映像及び音声等が再現される。ここで、デュアルリンク信号を伝送する伝送路３としては、同軸ケーブルまたは光ファイバが広く用いられる。
【００２８】
〔送信装置及び受信装置〕
次に、図２に示した送信装置１及び受信装置２の構成について説明する。図３は、送信装置１の構成を示すブロック図である。この送信装置１は、誤り訂正符号化部１０、リンクＡ送信部１１−１及びリンクＢ送信部１１−２を備えている。
【００２９】
送信装置１の誤り訂正符号化部１０は、リンクＡ，Ｂのデュアルリンク信号をシリアル入力し、入力したリンクＡ，Ｂのデュアルリンク信号に対して誤り訂正符号化処理を施し、後述する誤り訂正符号化パリティデータを付加したデュアルリンク信号、すなわち誤り訂正符号化したリンクＡ，Ｂのデュアルリンク信号を生成する。そして、誤り訂正符号化部１０は、リンクＡの誤り訂正符号化後のデュアルリンク信号をシリアル形式にてリンクＡ送信部１１−１に出力すると共に、リンクＢの誤り訂正符号化後のデュアルリンク信号をシリアル形式にてリンクＢ送信部１１−２に出力する。
【００３０】
リンクＡ送信部１１−１は、誤り訂正符号化部１０からリンクＡの誤り訂正符号化後のデュアルリンク信号を入力し、入力した信号に対して信号増幅等の所定の送信処理を施し、第１の伝送信号として伝送路３を介して受信装置２へ送信する。リンクＢ送信部１１−２は、誤り訂正符号化部１０からリンクＢの誤り訂正符号化後のデュアルリンク信号を入力し、入力した信号に対して信号増幅等の所定の送信処理を施し、第２の伝送信号として伝送路３を介して受信装置２へ送信する。
【００３１】
図４は、受信装置２の構成を示すブロック図である。この受信装置２は、リンクＡ受信部２０−１、リンクＢ受信部２０−２及び誤り訂正復号化部２１を備えている。
【００３２】
受信装置２のリンクＡ受信部２０−１は、送信装置１から伝送路３を介して第１の伝送信号を受信し、受信した第１の伝送信号に対して所定の受信処理を施し、元のリンクＡの誤り訂正符号化後のデュアルリンク信号を生成し、誤り訂正復号化部２１に出力する。リンクＢ受信部２０−２は、送信装置１から伝送路３を介して第２の伝送信号を受信し、受信した第２の伝送信号に対して所定の受信処理を施し、元のリンクＢの誤り訂正符号化後のデュアルリンク信号を生成し、誤り訂正復号化部２１に出力する。
【００３３】
誤り訂正復号化部２１は、リンクＡ受信部２０−１からリンクＡの誤り訂正符号化後のデュアルリンク信号を入力すると共に、リンクＢ受信部２０−２からリンクＢの誤り訂正符号化後のデュアルリンク信号を入力し、これらの信号に付加された誤り訂正符号化パリティデータを用いて誤り訂正復号化処理を施し、誤り訂正符号化処理を施した信号を、デュアルリンク信号の所定位置へマッピングし、元のリンクＡ，Ｂのデュアルリンク信号としてシリアル出力する。
【００３４】
このように、送信装置１がリンクＡ，Ｂのデュアルリンク信号を入力し、受信装置２がリンクＡ，Ｂのデュアルリンク信号を出力するから、誤り訂正を実現する際に、既存のデュアルリンク信号の送受信インタフェースをそのまま用いることができる。
【００３５】
〔送信装置／誤り訂正符号化部〕
次に、図３に示した送信装置１の誤り訂正符号化部１０について詳細に説明する。図５は、誤り訂正符号化部１０の構成を示すブロック図である。この誤り訂正符号化部１０は、誤り訂正符号化設定部３０、シリアル／パラレル変換部３１−１，３１−２、ブロック検出部３２、誤り訂正符号化対象データ抽出部３３、誤り訂正符号化パリティデータ算出部３４、リンクＡライン生成部３５−１、リンクＢライン生成部３５−２及びパラレル／シリアル変換部３６−１，３６−２を備えている。図中、実線が信号の流れを示し、破線が制御信号の流れを示す。誤り訂正符号化部１０に入力されるデュアルリンク信号は、前述のとおり、映像１画素を１２ビット量子化したＲＧＢ  ４：４：４方式信号より構成されるものとする。
【００３６】
誤り訂正符号化設定部３０は、誤り訂正符号化処理のために必要なデータであって、誤り訂正符号化の対象とするデータ、誤り訂正符号化パリティデータの配置等を設定するための制御信号（以下、“設定値”という。）を事前に設定する信号制御部である。誤り訂正符号化設定部３０は、それぞれの設定値をブロック検出部３２、誤り訂正符号化対象データ抽出部３３、誤り訂正符号化パリティデータ算出部３４及びリンクＢライン生成部３５−２に出力する。ブロック検出部３２、誤り訂正符号化対象データ抽出部３３、誤り訂正符号化パリティデータ算出部３４及びリンクＢライン生成部３５−２は、誤り訂正符号化設定部３０から設定値をそれぞれ入力し、入力した設定値を、それぞれの構成部に備えた設定値メモリに予め記憶しておき、必要に応じて設定値メモリから設定値を読み出し、読み出した設定値を用いて各々動作する。
【００３７】
シリアル／パラレル変換部３１−１は、リンクＡのデュアルリンク信号をシリアル入力し、入力したシリアルデータを１０ビット（１ワード）のパラレルデータに変換し、リンクＡのパラレル信号をブロック検出部３２及びリンクＡライン生成部３５−１に出力する。シリアル／パラレル変換部３１−２は、リンクＢのデュアルリンク信号をシリアル入力し、入力したシリアルデータを１０ビット（１ワード）のパラレルデータに変換し、リンクＢのパラレル信号をブロック検出部３２及びリンクＢライン生成部３５−２に出力する。
【００３８】
ブロック検出部３２は、誤り訂正符号化設定部３０から誤り訂正符号化対象ブロック設定値（詳細については後述する。）を入力し、当該ブロック検出部３２に備えた設定値メモリに記憶する。ブロック検出部３２は、シリアル／パラレル変換部３１−１，３１−２からリンクＡ，Ｂのパラレル信号を入力すると共に、設定値メモリから誤り訂正符号化対象ブロック設定値を読み出し、読み出した誤り訂正符号化対象ブロック設定値に基づいて、入力した信号から誤り訂正符号化の対象となるブロック（“付加ブロック及び映像ブロック”または“映像ブロック”）を検出し、検出したリンクＡ，Ｂのブロックを誤り訂正符号化対象データ抽出部３３に出力する。ここで、誤り訂正符号化対象ブロック設定値は、後述のとおり、誤り訂正符号化の対象となるブロックが“付加ブロック及び映像ブロック”または“映像ブロック”であるかを示す設定値である。ブロック検出部３２から誤り訂正符号化対象データ抽出部３３に出力されるデータは、当該設定値に合致するブロックとなる。
【００３９】
誤り訂正符号化対象データ抽出部３３は、誤り訂正符号化設定部３０から誤り訂正符号化対象データ設定値（詳細については後述する。）を入力し、当該誤り訂正符号化対象データ抽出部３３に備えた設定値メモリに記憶する。誤り訂正符号化対象データ抽出部３３は、ブロック検出部３２から検出されたリンクＡ，Ｂのブロック（“付加ブロック及び映像ブロック”または“映像ブロック”）を入力すると共に、設定値メモリから誤り訂正符号化対象データ設定値を読み出し、読み出した誤り訂正符号化対象データ設定値に基づいて、入力したブロックから誤り訂正符号化の対象となるデータ（“入力信号全体（ＥＡＶ、ＬＮ、ＣＲＣＣ、補助データ、ＳＡＶ及び映像データ）”、“ＬＮ、補助データ及び映像データ”、“補助データ及び映像データ”または“映像データ”）を１ライン毎に抽出し、抽出したデータを、当該誤り訂正符号化対象データ抽出部３３に備えたメモリに記憶する。この場合、リンクＢの“映像ブロック”に含まれる予約ビット及び偶数パリティは、抽出処理において削除される。
【００４０】
誤り訂正符号化対象データ抽出部３３は、メモリに記憶したデータを読み出し、誤り訂正符号化対象データとして誤り訂正符号化パリティデータ算出部３４に出力する。この場合、データの抽出処理及び記憶処理が１ライン分（１９２０サンプル分）完了すると、メモリから１ライン分の抽出データが読み出され、誤り訂正符号化対象データとして誤り訂正符号化パリティデータ算出部３４に出力される。ここで、誤り訂正符号化対象データ設定値は、後述のとおり、誤り訂正符号化の対象となるデータが“入力信号全体（ＥＡＶ、ＬＮ、ＣＲＣＣ、補助データ、ＳＡＶ及び映像データ）”、“ＬＮ、補助データ及び映像データ”、“補助データ及び映像データ”または“映像データ”であるかを示す設定値である。誤り訂正符号化対象データ抽出部３３から誤り訂正符号化パリティデータ算出部３４に出力されるデータは、当該設定値に合致する誤り訂正符号化対象データとなる。
【００４１】
誤り訂正符号化パリティデータ算出部３４は、誤り訂正符号化設定部３０から誤り訂正符号化方法設定値（詳細については後述する。）を入力し、当該誤り訂正符号化パリティデータ算出部３４に備えた設定値メモリに記憶する。誤り訂正符号化パリティデータ算出部３４は、誤り訂正符号化対象データ抽出部３３から誤り訂正符号化対象データを入力すると共に、設定値メモリから誤り訂正符号化方法設定値を読み出し、読み出した誤り訂正符号化方法設定値に基づいて、入力した誤り訂正符号化対象データに対して所定の誤り訂正符号化処理を施し、誤り訂正符号化パリティデータを算出する。そして、誤り訂正符号化パリティデータ算出部３４は、誤り訂正符号化パリティデータをリンクＢライン生成部３５−２に出力する。ここで、誤り訂正符号化方法設定値は、後述のとおり、誤り訂正符号化処理の方法を示す設定値である。誤り訂正符号化パリティデータ算出部３４からリンクＢライン生成部３５−２に出力されるデータは、当該設定値に合致した方法で誤り訂正符号化された誤り訂正符号化パリティデータとなる。
【００４２】
リンクＡライン生成部３５−１は、シリアル／パラレル変換部３１−１からリンクＡのパラレル信号を入力し、入力した信号を、当該リンクＡライン生成部３５−１に備えたメモリに一時的に記憶する。
【００４３】
リンクＢライン生成部３５−２は、誤り訂正符号化設定部３０から誤り訂正符号化パリティデータ配置設定値（詳細については後述する。）を入力し、当該リンクＢライン生成部３５−２に備えた設定値メモリに記憶する。リンクＢライン生成部３５−２は、シリアル／パラレル変換部３１−２からリンクＢのパラレル信号を入力し、当該リンクＢライン生成部３５−２に備えた第１のメモリに一時的に記憶する。そして、リンクＢライン生成部３５−２は、誤り訂正符号化パリティデータ算出部３４から誤り訂正符号化パリティデータを入力すると共に、設定値メモリから誤り訂正符号化パリティデータ配置設定値を読み出し、メモリから信号を読み出し、誤り訂正符号化パリティデータ配置設定値に基づいて、入力した誤り訂正符号化パリティデータを、読み出した信号における当該設定値の示す配置位置（“ライン後方”、“予約ビット及び偶数パリティ”、“偶数パリティ”または“予約ビット”）に１ライン毎にマッピングする。そして、リンクＢライン生成部３５−２は、マッピングした信号を、当該リンクＢライン生成部３５−２に備えた第２のメモリに記憶する。ここで、誤り訂正符号化パリティデータ配置設定値は、後述のとおり、誤り訂正符号化パリティデータを配置する位置を示す設定値である。
【００４４】
尚、リンクＢライン生成部３５−２は、マッピングの際に、メモリから読み出した信号のうちリンクＢの映像ブロックに含まれる予約ビット及び偶数パリティのデータを削除してもよいし、当該設定値の示す配置位置に応じたデータ（予約ビット、偶数パリティ、または予約ビット及び偶数パリティのデータのうちのいずれか）を削除するようにしてもよい。例えば、当該設定値が“ライン後方”を示す場合、予約ビット及び偶数パリティのデータを削除し、当該設定値が“予約ビット及び偶数パリティ”、“偶数パリティ”または“予約ビット”を示す場合、当該設定値が示すデータを削除する。
【００４５】
そして、リンクＡライン生成部３５−１のメモリ及びリンクＢライン生成部３５−２の第２のメモリに１ライン分の信号が記憶された時点で、リンクＡライン生成部３５−１は、メモリから信号を読み出してパラレル／シリアル変換部３６−１に出力し、リンクＢライン生成部３５−２は、第２のメモリから信号を読み出してパラレル／シリアル変換部３６−２に出力する。この場合、リンクＡライン生成部３５−１及びリンクＢライン生成部３５−２は、信号を同時にパラレル／シリアル変換部３６−１，３６−２にそれぞれ出力する。
【００４６】
パラレル／シリアル変換部３６−１は、リンクＡライン生成部３５−１からリンクＡのパラレル信号を入力し、入力したパラレルデータをシリアルデータに変換し、誤り訂正符号化したリンクＡのデュアルリンク信号としてリンクＡ送信部１１−１に出力する。パラレル／シリアル変換部３６−２は、リンクＢライン生成部３５−２からリンクＢのパラレル信号を入力し、入力したパラレルデータをシリアルデータに変換し、誤り訂正符号化したリンクＢのデュアルリンク信号としてリンクＢ送信部１１−２に出力する。
【００４７】
（誤り訂正符号化設定部の設定値）
次に、誤り訂正符号化設定部３０により設定される設定値について説明する。図６は、誤り訂正符号化設定部３０により設定される設定値を説明する図である。図６には、設定対象の構成部、設定値名称及び設定値の内容が示されている。尚、設定値の内容において、かっこ書きで示した設定値は、複数の設定値のうちのいずれか１つのみが設定されるものとする。前述のとおり、誤り訂正符号化設定部３０は、送信装置１がリンクＡ，Ｂのデュアルリンク信号を入力する前に、誤り訂正符号化対象ブロック設定値をブロック検出部３２に出力し、誤り訂正符号化対象データ設定値を誤り訂正符号化対象データ抽出部３３に出力し、誤り訂正符号化方法設定値を誤り訂正符号化パリティデータ算出部３４に出力し、誤り訂正符号化パリティデータ配置設定値をリンクＢライン生成部３５−２に出力する。
【００４８】
誤り訂正符号化対象ブロック設定値は、誤り訂正符号化の対象となるブロックが“付加ブロック及び映像ブロック”であるか、または“映像ブロック”であるかを示す設定値である。
【００４９】
誤り訂正符号化対象データ設定値は、各ブロックにおいて具体的にどの部分のデータを誤り訂正符号化対象データとするかを示す設定値であり、具体的には、“入力信号全体（ＥＡＶ、ＬＮ、ＣＲＣＣ、補助データ、ＳＡＶ及び映像データ）”、“ＬＮ、補助データ及び映像データ”、“補助データ及び映像データ”または“映像データ”を示す値である。
【００５０】
誤り訂正符号化方法設定値は、誤り訂正符号化対象データに対して誤り訂正符号化処理を施すその処理の方法を示す設定値である。この誤り訂正符号化方法設定値は、誤り訂正符号化対象データのビット数を基にして、所望の訂正能力を発揮するように設定される。つまり、誤り訂正符号化方法設定値は、当該設定値の示す方法により算出される誤り訂正符号化パリティデータのビット数が、後述する誤り訂正符号化パリティデータ配置設定値の示す位置のビット数（誤り訂正符号化パリティデータが配置されるデュアルリンク信号内の所定位置のビット数）以下になるように設定される。具体例については、後述する実施例１，２に示す。
【００５１】
誤り訂正符号化パリティデータ配置設定値は、誤り訂正符号化パリティデータをデュアルリンク信号内に配置する際の位置を示す設定値である。具体的には、誤り訂正符号化パリティデータ算出部３４により算出された誤り訂正符号化パリティデータをデュアルリンク信号の１ライン内に配置する際に、“ライン後方”、“予約ビット及び偶数パリティ”、“偶数パリティ”または“予約ビット”のいずれかを示す値である。誤り訂正符号化パリティデータ配置設定値が“ライン後方”を示す場合、映像データがライン前方（映像ブロックの前方）に配置され、誤り訂正符号化パリティデータがライン後方（映像ブロックの後方）に配置される。尚、この場合の誤り訂正符号化パリティデータの最大のビット数は、１ラインあたりの予約ビット及び偶数パリティの総和（１９２０ワード×４ビット＝７６８０ビット）となる。一方、誤り訂正符号化パリティデータ配置設定値が“予約ビット及び偶数パリティ”、“偶数パリティ”または“予約ビット”を示す場合、図１に示した予約ビット及び偶数パリティの位置、偶数パリティの位置または予約ビットの位置に誤り訂正符号化パリティデータが配置される。
【００５２】
このように、送信装置１の誤り訂正符号化部１０によれば、誤り訂正符号化パリティデータ算出部３４は、誤り訂正符号化対象データ設定値の示す誤り訂正符号化対象データに対し、誤り訂正符号化方法設定値の示す誤り訂正符号化方法にて誤り訂正符号化処理を施し、誤り訂正符号化パリティデータを算出するようにした。また、リンクＢライン生成部３５−２は、リンクＢのデュアルリンク信号に対し、誤り訂正符号化パリティデータ配置設定値の示す位置に、映像ブロックの予約ビット及び／または偶数パリティである空きビットを利用して、誤り訂正符号化パリティデータをマッピングするようにした。そして、誤り訂正符号化されたリンクＡ，Ｂのデュアルリンク信号が伝送路３を介して受信装置２へ送信される。これにより、デュアルリンク信号に誤り訂正符号化パリティデータを付加した場合であっても、従来技術におけるデュアルリンク信号の送受信インタフェースを変更することなく、かつ、情報伝送速度及び伝送路３上の伝送速度を、従来技術のデュアルリンク信号の場合と同一に保ちながら、誤り訂正を実現することができる。
【００５３】
〔受信装置／誤り訂正復号化部〕
次に、図４に示した受信装置２の誤り訂正復号化部２１について詳細に説明する。図７は、誤り訂正復号化部２１の構成を示すブロック図である。この誤り訂正復号化部２１は、誤り訂正復号化設定部４０、シリアル／パラレル変換部４１−１，４１−２、ブロック検出部４２、誤り訂正復号化データ抽出部４３、誤り訂正復号化演算部４４、リンクＡライン生成部４５−１、リンクＢライン生成部４５−２及びパラレル／シリアル変換部４６−１，４６−２を備えている。図中、実線が信号の流れを示し、破線が制御信号の流れを示す。
【００５４】
誤り訂正復号化設定部４０は、誤り訂正復号化処理のために必要なデータであって、誤り訂正復号化の対象とするデータ、誤り訂正復号化パリティデータの配置等を設定するための制御信号（以下、“設定値”という。）を事前に設定する信号制御部である。誤り訂正復号化設定部４０は、それぞれの設定値をブロック検出部４２、誤り訂正復号化データ抽出部４３、誤り訂正復号化演算部４４、リンクＡライン生成部４５−１及びリンクＢライン生成部４５−２に出力する。ブロック検出部４２、誤り訂正復号化データ抽出部４３、誤り訂正復号化演算部４４、リンクＡライン生成部４５−１及びリンクＢライン生成部４５−２は、誤り訂正復号化設定部４０から設定値をそれぞれ入力し、入力した設定値を、それぞれの構成部に備えた設定値メモリに予め記憶しておき、必要に応じて設定値メモリから設定値を読み出し、読み出した設定値を用いて各々動作する。
【００５５】
尚、これらの設定値は、受信装置２において、送信装置１から伝送信号を受信する前に、手動にて事前に設定されるようにしてもよい。また、送信装置１が、誤り訂正符号化設定部３０にて設定した設定値を、デュアルリンク信号の未使用の領域（例えば予約ビット、偶数パリティまたは補助データの一部の領域等）に配置して受信装置２へ送信することにより、受信装置２が前述の設定値を受信し、受信した設定値に基づいて自動的に設定するようにしてもよい。
【００５６】
シリアル／パラレル変換部４１−１は、リンクＡ受信部２０−１から誤り訂正符号化されたリンクＡのデュアルリンク信号をシリアル入力し、入力したシリアルデータを１０ビット（１ワード）のパラレルデータに変換し、リンクＡのパラレル信号をブロック検出部４２及びリンクＡライン生成部４５−１に出力する。シリアル／パラレル変換部４１−２は、リンクＢ受信部２０−２から誤り訂正符号化されたリンクＢのデュアルリンク信号をシリアル入力し、入力したシリアルデータを１０ビット（１ワード）のパラレルデータに変換し、リンクＢのパラレル信号をブロック検出部４２及びリンクＢライン生成部４５−２に出力する。
【００５７】
ブロック検出部４２は、誤り訂正復号化設定部４０から誤り訂正復号化対象ブロック設定値（詳細については後述する。）を入力し、当該ブロック検出部４２に備えた設定値メモリに記憶する。ブロック検出部４２は、シリアル／パラレル変換部４１−１，４１−２からリンクＡ，Ｂのパラレル信号を入力すると共に、設定値メモリから誤り訂正復号化対象ブロック設定値を読み出し、読み出した誤り訂正復号化対象ブロック設定値に基づいて、入力した信号から誤り訂正復号化の対象となるブロック（“付加ブロック及び映像ブロック”または“映像ブロック”）を検出し、検出したリンクＡ，Ｂのブロックを誤り訂正復号化データ抽出部４３に出力する。ここで、誤り訂正復号化対象ブロック設定値は、誤り訂正符号化対象ブロック設定値に対応し、誤り訂正復号化の対象となるブロックが“付加ブロック及び映像ブロック”または“映像ブロック”であるかを示す設定値である。ブロック検出部４２から誤り訂正復号化データ抽出部４３に出力されるデータは、当該設定値に合致するブロックとなる。
【００５８】
誤り訂正復号化データ抽出部４３は、誤り訂正復号化設定部４０から誤り訂正復号化対象データ設定値及び誤り訂正復号化パリティデータ配置設定値（詳細については後述する。）を入力し、当該誤り訂正復号化データ抽出部４３に備えた設定値メモリに記憶する。誤り訂正復号化データ抽出部４３は、ブロック検出部４２から検出されたリンクＡ，Ｂのブロック（“付加ブロック及び映像ブロック”または“映像ブロック”）を入力すると共に、設定値メモリから誤り訂正復号化対象データ設定値及び誤り訂正復号化パリティデータ配置設定値を読み出す。
【００５９】
誤り訂正復号化データ抽出部４３は、読み出した誤り訂正復号化パリティデータ配置設定値に基づいて、その設定値の示す配置位置（“ライン後方”、“予約ビット及び偶数パリティ”、“偶数パリティ”または“予約ビット”）から誤り訂正符号化パリティデータを誤り訂正復号化パリティデータとして１ライン毎に抽出し、当該誤り訂正復号化データ抽出部４３に備えたメモリに記憶する。また、誤り訂正復号化データ抽出部４３は、誤り訂正復号化パリティデータ配置設定値に基づいて、リンクＢの映像データの配置位置を認識し、読み出した誤り訂正復号化対象データ設定値に基づいて、その設定値の示す誤り訂正復号化対象データ（“入力信号全体（ＥＡＶ、ＬＮ、ＣＲＣＣ、補助データ、ＳＡＶ及び映像データ）”、“ＬＮ、補助データ及び映像データ”、“補助データ及び映像データ”または“映像データ”）を、リンクＡ，Ｂの１ライン毎に抽出し、当該誤り訂正復号化データ抽出部４３に備えたメモリに記憶する。
【００６０】
誤り訂正復号化データ抽出部４３は、メモリから誤り訂正復号化パリティデータ及び誤り訂正復号化対象データを読み出し、誤り訂正復号化演算部４４に出力する。この場合、当該設定値に基づくデータの抽出処理及び記憶処理が１ライン分完了すると、メモリから１ライン分の抽出データが読み出され、誤り訂正復号化パリティデータ及び誤り訂正復号化対象データとして誤り訂正復号化演算部４４に出力される。
【００６１】
ここで、誤り訂正復号化対象データ設定値は、誤り訂正符号化対象データ設定値に対応し、後述のとおり、誤り訂正復号化の対象となるデータが“入力信号全体（ＥＡＶ、ＬＮ、ＣＲＣＣ、補助データ、ＳＡＶ及び映像データ）”、“ＬＮ、補助データ及び映像データ”、“補助データ及び映像データ”または“映像データ”であるかを示す設定値である。また、誤り訂正復号化パリティデータ配置設定値は、誤り訂正符号化パリティデータ配置設定値に対応し、後述のとおり、誤り訂正符号化パリティデータが配置された位置を示す設定値である。誤り訂正復号化データ抽出部４３から誤り訂正復号化演算部４４に出力されるデータは、これらの設定値に合致する誤り訂正復号化パリティデータ及び誤り訂正復号化対象データとなる。
【００６２】
誤り訂正復号化演算部４４は、誤り訂正復号化設定部４０から誤り訂正復号化方法設定値（詳細については後述する。）を入力し、当該誤り訂正復号化演算部４４に備えた設定値メモリに記憶する。誤り訂正復号化演算部４４は、誤り訂正復号化データ抽出部４３から誤り訂正復号化パリティデータ及び誤り訂正復号化対象データを入力すると共に、設定値メモリから誤り訂正復号化方法設定値を読み出し、読み出した誤り訂正復号化方法設定値に基づいて、送信装置１における誤り訂正符号化方法設定値の示す誤り訂正符号化方法と同一符号により、入力した誤り訂正復号化パリティデータ及び誤り訂正復号化対象データを用いて、所定の誤り訂正復号化処理を施し、リンクＡ，Ｂの誤り訂正復号化データを演算する。
【００６３】
誤り訂正復号化演算部４４は、リンクＡの誤り訂正復号化データをリンクＡライン生成部４５−１に出力し、リンクＢの誤り訂正復号化データをリンクＢライン生成部４５−２に出力する。ここで、誤り訂正復号化方法設定値は、後述のとおり、誤り訂正符号化方法設定値に対応し、誤り訂正復号化処理の方法を示す設定値である。誤り訂正復号化演算部４４からリンクＡライン生成部４５−１及びリンクＢライン生成部４５−２に出力されるデータは、当該設定値に合致した方法で誤り訂正復号化された誤り訂正復号化データとなる。
【００６４】
リンクＡライン生成部４５−１は、誤り訂正復号化設定部４０から誤り訂正復号化対象データ設定値（詳細については後述する。）を入力し、当該リンクＡライン生成部４５−１に備えた設定値メモリに記憶する。リンクＡライン生成部４５−１は、シリアル／パラレル変換部４１−１からリンクＡのパラレル信号を入力し、当該リンクＡライン生成部４５−１に備えた第１のメモリに一時的に記憶する。
【００６５】
リンクＡライン生成部４５−１は、誤り訂正復号化演算部４４からリンクＡの誤り訂正復号化データを入力すると共に、設定値メモリから誤り訂正復号化対象データ設定値を読み出し、第１のメモリからリンクＡのパラレル信号を読み出す。そして、リンクＡライン生成部４５−１は、読み出したリンクＡのパラレル信号に対し、読み出した誤り訂正復号化対象データ設定値に基づいて、入力したリンクＡの誤り訂正復号化データを、当該設定値の示すデータ（“入力信号全体（ＥＡＶ、ＬＮ、ＣＲＣＣ、補助データ、ＳＡＶ及び映像データ）”、“ＬＮ、補助データ及び映像データ”、“補助データ及び映像データ”または“映像データ”）の位置（図１に示したリンクＡの各データの位置）に１ライン毎にマッピングする。そして、リンクＡライン生成部４５−１は、マッピングした信号を、当該リンクＡライン生成部４５−１に備えた第２のメモリに記憶する。
【００６６】
リンクＢライン生成部４５−２は、誤り訂正復号化設定部４０から誤り訂正復号化対象データ設定値（詳細については後述する。）を入力し、当該リンクＢライン生成部４５−２に備えた設定値メモリに記憶する。リンクＢライン生成部４５−２は、シリアル／パラレル変換部４１−２からリンクＢのパラレル信号を入力し、当該リンクＢライン生成部４５−２に備えた第１のメモリに一時的に記憶する。
【００６７】
リンクＢライン生成部４５−２は、誤り訂正復号化演算部４４からリンクＢの誤り訂正復号化データを入力すると共に、設定値メモリから誤り訂正復号化対象データ設定値を読み出し、第１のメモリからリンクＢのパラレル信号を読み出す。そして、リンクＢライン生成部４５−２は、読み出したリンクＢのパラレル信号に対し、読み出した誤り訂正復号化対象データ設定値に基づいて、入力したリンクＢの誤り訂正復号化データを、当該設定値の示すデータの位置（図１に示したリンクＢの各データの位置）に１ライン毎にマッピングする。ここで、送信装置１により予約ビットが削除された場合には、その予約ビットもマッピングし、送信装置１により偶数パリティが削除された場合には、誤り訂正復号化データに基づいて偶数パリティを算出し、マッピングする。そして、リンクＢライン生成部４５−２は、マッピングした信号を、当該リンクＢライン生成部４５−２に備えた第２のメモリに記憶する。
【００６８】
そして、リンクＡライン生成部４５−１の第２のメモリ及びリンクＢライン生成部４５−２の第２のメモリに１ライン分の信号が記憶された時点で、リンクＡライン生成部４５−１は、第２のメモリから信号を読み出してパラレル／シリアル変換部４６−１に出力し、リンクＢライン生成部４５−２は、第２のメモリから信号を読み出してパラレル／シリアル変換部４６−２に出力する。この場合、リンクＡライン生成部４５−１及びリンクＢライン生成部４５−２は、信号を同時にパラレル／シリアル変換部４６−１，４６−２にそれぞれ出力する。
【００６９】
パラレル／シリアル変換部４６−１は、リンクＡライン生成部４５−１からリンクＡのパラレル信号を入力し、入力したパラレルデータをシリアルデータに変換し、元のリンクＡのデュアルリンク信号として出力する。パラレル／シリアル変換部４６−２は、リンクＢライン生成部４５−２からリンクＢのパラレル信号を入力し、入力したパラレルデータをシリアルデータに変換し、元のリンクＢのデュアルリンク信号として出力する。
【００７０】
（誤り訂正復号化設定部の設定値）
次に、誤り訂正復号化設定部４０により設定される設定値について説明する。図８は、誤り訂正復号化設定部４０により設定される設定値を説明する図である。図８には、図６と同様に、設定対象の構成部、設定値名称及び設定値の内容が示されており、設定値の内容において、かっこ書きで示した設定値は、複数の設定値のうちのいずれか１つのみが設定されるものとする。前述のとおり、誤り訂正復号化設定部４０は、受信装置２が送信装置１から伝送信号を受信する前に、誤り訂正復号化対象ブロック設定値をブロック検出部４２に出力し、誤り訂正復号化対象データ設定値及び誤り訂正復号化パリティデータ配置設定値を誤り訂正復号化データ抽出部４３に出力し、誤り訂正復号化方法設定値を誤り訂正復号化演算部４４に出力し、誤り訂正復号化対象データ設定値をリンクＡライン生成部４５−１及びリンクＢライン生成部４５−２に出力する。ここで、誤り訂正復号化設定部４０は、送信装置１の誤り訂正符号化設定部３０により設定された設定値と同一の値をそれぞれ出力する。誤り訂正復号化対象ブロック設定値は誤り訂正符号化対象ブロック設定値に対応し、誤り訂正復号化対象データ設定値は誤り訂正符号化対象データ設定値に対応し、誤り訂正復号化パリティデータ配置設定値は誤り訂正符号化パリティデータ配置設定値に対応し、誤り訂正復号化方法設定値は誤り訂正符号化方法設定値に対応する。
【００７１】
誤り訂正復号化対象ブロック設定値は、誤り訂正復号化の対象となるデータのブロックが“付加ブロック及び映像ブロック”であるか、または“映像ブロック”であるかを示す設定値である。この誤り訂正復号化対象ブロック設定値は、送信装置１の誤り訂正符号化設定部３０により設定される誤り訂正符号化対象ブロック設定値と同じ値が設定される。
【００７２】
誤り訂正復号化対象データ設定値は、各ブロックにおいて具体的にどの部分のデータを誤り訂正復号化対象データとするかを示す設定値であり、具体的には、“入力信号全体（ＥＡＶ、ＬＮ、ＣＲＣＣ、補助データ、ＳＡＶ及び映像データ）”、“ＬＮ、補助データ及び映像データ”、“補助データ及び映像データ”または“映像データ”を示す値である。この誤り訂正復号化対象データ設定値は、送信装置１の誤り訂正符号化設定部３０により設定される誤り訂正符号化対象データ設定値と同じ値が設定される。尚、誤り訂正復号化データ抽出部４３に出力される誤り訂正復号化対象データ設定値は、リンクＡライン生成部４５−１及びリンクＢライン生成部４５−２に出力される誤り訂正復号化対象データ設定値と同じである。
【００７３】
誤り訂正復号化パリティデータ配置設定値は、誤り訂正符号化パリティデータがデュアルリンク信号内に配置されている位置を示す設定値である。具体的には、“ライン後方”、“予約ビット及び偶数パリティ”、“偶数パリティ”または“予約ビット”のいずれかを示す値である。この誤り訂正復号化パリティデータ配置設定値は、送信装置１の誤り訂正符号化設定部３０により設定される誤り訂正符号化パリティデータ配置設定値と同じ値が設定される。
【００７４】
誤り訂正復号化方法設定値は、誤り訂正復号化処理を施すその処理の方法を示す設定値である。この誤り訂正復号化方法設定値は、送信装置１の誤り訂正符号化設定部３０により設定される誤り訂正符号化方法設定値と同じ値が設定される。
【００７５】
このように、受信装置２の誤り訂正復号化部２１によれば、誤り訂正復号化データ抽出部４３は、リンクＡ，Ｂのデュアルリンク信号から、誤り訂正復号化対象データ設定値の示す誤り訂正復号化対象データを抽出すると共に、誤り訂正復号化パリティデータ配置設定値の示す位置から誤り訂正復号化パリティデータを抽出するようにした。また、誤り訂正復号化演算部４４は、誤り訂正復号化対象データ及び誤り訂正復号化パリティデータを用いて、誤り訂正復号化方法設定値の示す誤り訂正復号化方法にて誤り訂正復号化処理を施し、誤り訂正復号化データを演算するようにした。また、リンクＡライン生成部４５−１及びリンクＢライン生成部４５−２は、リンクＡ，Ｂのデュアルリンク信号に対し、誤り訂正復号化対象データ設定値の示すデータの位置に、誤り訂正復号化データをマッピングするようにした。そして、誤り訂正復号化されたリンクＡ，Ｂのデュアルリンク信号が出力される。これにより、デュアルリンク信号に誤り訂正符号化パリティデータを付加した場合であっても、従来技術におけるデュアルリンク信号の送受信インタフェースを変更することなく、かつ、情報伝送速度及び伝送路３上の伝送速度を、従来技術のデュアルリンク信号の場合と同一に保ちながら、誤り訂正を実現することができる。つまり、既存のデュアルリンク信号に対して誤り訂正符号化及び誤り訂正復号化を適用することにより、誤り訂正可能な信号伝送を実現することができる。
【００７６】
〔実施例１〕
次に、本発明の実施形態について具体例を挙げて説明する。実施例１は、送信装置１の誤り訂正符号化設定部３０により設定される誤り訂正符号化対象ブロック設定値が“付加ブロック及び映像ブロック”であり、誤り訂正符号化対象データ設定値が“入力信号全体”であり、誤り訂正符号化方法設定値が“ＲＳ（８８０、８０４）符号、１シンボル１０ビット”であり、誤り訂正符号化パリティデータ配置設定値が“ライン後方”であり、また、受信装置２の誤り訂正復号化設定部４０により設定される誤り訂正復号化対象ブロック設定値が“付加ブロック及び映像ブロック”であり、誤り訂正復号化対象データ設定値が“入力信号全体”であり、誤り訂正復号化パリティデータ配置設定値が“ライン後方”であり、誤り訂正復号化方法設定値が“ＲＳ（８８０、８０４）符号、１シンボル１０ビット”である場合の例である。
【００７７】
（送信装置／誤り訂正符号化部）
まず、送信装置１における誤り訂正符号化部１０の処理について説明する。送信装置１における誤り訂正符号化部１０のブロック検出部３２は、シリアル／パラレル変換部３１−１，３１−２からリンクＡ，Ｂのパラレル信号を入力し、入力した信号から、誤り訂正符号化設定部３０により設定された誤り訂正符号化対象ブロック設定値の示す“付加ブロック及び映像ブロック”を検出し、検出したリンクＡ，Ｂの“付加ブロック及び映像ブロック”を誤り訂正符号化対象データ抽出部３３に出力する。
【００７８】
誤り訂正符号化対象データ抽出部３３は、ブロック検出部３２からリンクＡ，Ｂの“付加ブロック及び映像ブロック”を入力し、入力したブロックから、誤り訂正符号化設定部３０により設定された誤り訂正符号化対象データ設定値の示す“入力信号全体”を抽出し、抽出したデータを誤り訂正符号化対象データとして誤り訂正符号化パリティデータ算出部３４に出力する。具体的には、誤り訂正符号化対象データ抽出部３３は、リンクＡの“付加ブロック及び映像ブロック”から“付加ブロック及び映像ブロック”全体のデータを抽出し、リンクＢの“付加ブロック及び映像ブロック”から“付加ブロック”全体のデータ及び“映像ブロック”のうち予約ビット及び偶数パリティを除いたデータ（映像データ）を抽出する。
【００７９】
図９は、実施例１による誤り訂正符号化対象データを示す図である。この誤り訂正符号化対象データは、誤り訂正符号化対象データ抽出部３３において、リンクＡ，Ｂの“付加ブロック及び映像ブロック”から、誤り訂正符号化対象データ設定値の示す“入力信号全体”が抽出されたものである。誤り訂正符号化対象データ設定値が“入力信号全体”であるから、“付加ブロック”については“付加ブロック”全体のデータ、及び、“映像ブロック”については予約ビット及び偶数パリティを除いたＲＧＢのみからなる映像データが、誤り訂正符号化対象データとして抽出される。抽出されたデータは、誤り訂正符号化対象データ抽出部３３に備えたメモリに記憶される。メモリに記憶される１ラインあたりのデータ量は、付加ブロック５６０ワード＋映像ブロック３８４０ワード）×１０ビット×２リンク−除外ビット１９２０ワード×４ビット＝８０３２０ビットとなる。１ラインの誤り訂正符号化対象データは、当該メモリに記憶されると読み出され、誤り訂正符号化パリティデータ算出部３４に出力される。
【００８０】
誤り訂正符号化パリティデータ算出部３４は、誤り訂正符号化対象データ抽出部３３から図９に示した誤り訂正符号化対象データ（リンクＡの“付加ブロック及び映像ブロック”における全てのデータ、及びリンクＢの“付加ブロック及び映像ブロック”のうち予約ビット及び偶数パリティを除いたデータ）を入力し、入力した誤り訂正符号化対象データに対し、誤り訂正符号化方法設定値の示す“ＲＳ（８８０、８０４）符号、１シンボル１０ビット”による誤り訂正符号化処理を施し、誤り訂正符号化パリティデータを算出し、リンクＢライン生成部３５−２に出力する。ここでは、誤り訂正符号の一例として、リードソロモン（ＲＳ）符号を用い、１０ビットを１シンボルとして、８０４シンボルの誤り訂正符号化対象データに対して、７６シンボルの誤り訂正符号化パリティデータが算出される。ＲＳ（８８０、８０４）符号は、ＲＳ（１０２３、９４７）符号の情報データ長を短縮化した短縮化ＲＳ符号である。ＲＳ（８８０、８０４）符号を適用するために、８０４００ビットのデータが１０個の誤り訂正符号化ブロックに分割され、各々のブロックにおいて当該符号化が適用される。
【００８１】
リンクＢライン生成部３５−２は、シリアル／パラレル変換部３１−２からリンクＢのパラレル信号を入力すると共に、誤り訂正符号化パリティデータ算出部３４から誤り訂正符号化パリティデータを入力する。そして、リンクＢライン生成部３５−２は、誤り訂正符号化設定部３０により設定された誤り訂正符号化パリティデータ配置設定値が“ライン後方”であることを判定し、リンクＢのパラレル信号における映像ブロックに含まれる予約ビット及び偶数パリティを削除して空きビットを生成し、空きビットの位置に映像データのビットをシフトする。これにより、映像データのビットが映像ブロックの前方に配置され、映像ブロックの後方に空きが生じる。そして、リンクＢライン生成部３５−２は、映像データのビットが映像ブロックの前方に配置されたリンクＢのパラレル信号における映像ブロックに対し、誤り訂正符号化パリティデータ配置設定値の示す“ライン後方”に誤り訂正符号化パリティデータをマッピングし、残りの領域にダミービットを配置することで、１ライン分の新たなリンクＢのパラレル信号を生成する。これにより、予約ビット及び偶数パリティが削除されたリンクＢのパラレル信号であって、映像ブロックの“ライン後方”に誤り訂正符号化パリティデータが配置された１ライン分の新たなリンクＢのパラレル信号が生成される。
【００８２】
図１０は、実施例１におけるリンクＢライン生成部３５−２により生成されるデータ（新たなリンクＢのパラレル信号）を示す図である。図１に示したリンクＢの映像ブロックにおいて全体に渡って配置された映像データが、予約ビット及び偶数パリティが削除された後、図１０に示すように、映像ブロックのラインの前方に配置される。つまり、３８４０ワードの映像ブロックのうち、前方の３０７２ワードに映像データが配置され、後方の７６０ワードに誤り訂正符号化パリティデータが配置される。実施例１では、誤り訂正符号化パリティデータとして、７６シンボル×１０ビット×１０誤り訂正符号化ブロック＝７６００ビットが、図１０に示すように順次配置される。
【００８３】
ここで、各誤り訂正符号化ブロックにおいて算出された誤り訂正符号化パリティデータを構成する各ビットをＰｍ：ｊとし、ｍは誤り訂正符号化ブロック番号及びｊはビット番号を表すものとする。例えば、Ｐ３：２００は、３番目の誤り訂正符号化ブロックから生成された誤り訂正符号化パリティデータのうち２００ビット目のパリティビット値（“０”または“１”）を表す。また、誤り訂正符号化パリティデータが配置されない８ワード×１０ビット＝８０ビットについては、誤り訂正復号化演算に使用されないダミービット“Ｄ”が配置される。ダミービットの値は、０または１のランダムな値とする。
【００８４】
このように、実施例１では、図１に示したリンクＡのデュアルリンク信号と図１０に示したリンクＢのデュアルリンク信号とが、誤り訂正符号化されたデュアルリンク信号として、送信装置１から伝送路３を介して受信装置２へ送信される。
【００８５】
（受信装置／誤り訂正復号化部）
次に、受信装置２における誤り訂正復号化部２１の処理について説明する。受信装置２における誤り訂正復号化部２１のブロック検出部４２は、シリアル／パラレル変換部４１−１，４１−２からリンクＡ，Ｂのパラレル信号を入力し、入力した信号から、誤り訂正復号化設定部４０により設定された誤り訂正復号化対象ブロック設定値の示す“付加ブロック及び映像ブロック”を検出し、検出したリンクＡ，Ｂの“付加ブロック及び映像ブロック”を誤り訂正復号化データ抽出部４３に出力する。
【００８６】
誤り訂正復号化データ抽出部４３は、ブロック検出部４２からリンクＡ，Ｂの“付加ブロック及び映像ブロック”を入力し、入力したブロックに対し、誤り訂正復号化設定部４０により設定された誤り訂正復号化パリティデータ配置設定値の示す“ライン後方”の位置から、誤り訂正符号化パリティデータを誤り訂正復号化パリティデータとして抽出し、誤り訂正復号化演算部４４に出力する。また、誤り訂正復号化データ抽出部４３は、入力したブロックから、誤り訂正復号化設定部４０により設定された誤り訂正復号化対象データ設定値の示す“入力信号全体”を抽出し、抽出したデータを誤り訂正復号化対象データとして誤り訂正復号化演算部４４に出力する。具体的には、誤り訂正復号化データ抽出部４３は、リンクＡの“付加ブロック及び映像ブロック”から“付加ブロック及び映像ブロック”全体のデータを抽出し、リンクＢの“付加ブロック”から“付加ブロック”全体のデータを抽出する。また、誤り訂正復号化データ抽出部４３は、誤り訂正復号化パリティデータ配置設定値が“ライン後方”であることを判定し、リンクＢの映像データがリンクＢの“映像ブロック”の前方に配置されていることを認識し、リンクＢの“映像ブロック”の前方に配置された映像データを抽出する。抽出されたこれらのデータは、誤り訂正復号化対象データとして誤り訂正復号化演算部４４に出力される。
【００８７】
誤り訂正復号化演算部４４は、誤り訂正復号化データ抽出部４３から誤り訂正復号化パリティデータ及び誤り訂正復号化対象データを入力し、誤り訂正復号化設定部４０により設定された誤り訂正復号化方法設定値の示す“ＲＳ（８８０、８０４）符号、１シンボル１０ビット”による誤り訂正復号化処理を施し、リンクＡ，Ｂの誤り訂正復号化データを演算し、リンクＡの誤り訂正復号化データをリンクＡライン生成部４５−１に出力し、リンクＢの誤り訂正復号化データをリンクＢライン生成部４５−２に出力する。
【００８８】
リンクＡライン生成部４５−１は、シリアル／パラレル変換部４１−１からリンクＡのパラレル信号を入力すると共に、誤り訂正復号化演算部４４からリンクＡの誤り訂正復号化データを入力し、入力したリンクＡのパラレル信号に対し、誤り訂正復号化設定部４０により設定された誤り訂正復号化対象データ設定値の示す“入力信号全体”の各データの位置に、入力したリンクＡの誤り訂正復号化データをマッピングする。
【００８９】
リンクＢライン生成部４５−２は、シリアル／パラレル変換部４１−２からリンクＢのパラレル信号を入力すると共に、誤り訂正復号化演算部４４からリンクＢの誤り訂正復号化データを入力し、入力したリンクＢのパラレル信号に対し、誤り訂正復号化設定部４０により設定された誤り訂正復号化対象データ設定値の示す“入力信号全体”の各データの位置に、入力したリンクＢの誤り訂正復号化データをマッピングする。また、リンクＢライン生成部４５−２は、予約ビットも所定位置にマッピングし、偶数パリティを誤り訂正復号化データに基づいて算出し、所定位置にマッピングする。
【００９０】
図１１は、実施例１におけるリンクＡライン生成部４５−１及びリンクＢライン生成部４５−２により生成されるデータを示す図である。図１１において、誤り訂正復号化されたＲ信号をＲ’ｎ：ｉ、誤り訂正復号化されたＧ信号をＧ’ｎ：ｉ及び誤り訂正復号化されたＢ信号をＢ’ｎ：ｉとして表す。誤り訂正復号化演算部４４から出力された誤り訂正復号化データは、リンクＡライン生成部４５−１及びリンクＢライン生成部４５−２において、当該データの誤り訂正復号化前のデータと同一位置（図１を参照）に配置される。リンクＡライン生成部４５−１及びリンクＢライン生成部４５−２にて使用する、誤り訂正復号化設定部４０により設定された誤り訂正復号化対象データ設定値は、送信装置１の誤り訂正符号化設定部３０により設定された誤り訂正符号化対象データ設定値と同一であり、“入力信号全体”である。このため、図１１に示すように、誤り訂正符号化対象データである“付加ブロック及び映像ブロック”における“入力信号全体”のデータが誤り訂正復号化されていることがわかる。
【００９１】
また、リンクＢのデュアルリンク信号において予約ビットが配置されていた位置には、同様に所定の予約ビットが再配置される。予約ビットとしては、前述のとおり、値“０”を固定的に伝送することがＳＭＰＴＥ ３７２−２００９にて規定されている。また、誤り訂正復号化された映像データ（Ｒ’、Ｇ’及びＢ’信号の０及び１番目のビット）及び予約ビットの合計８ビットを用いて、偶数パリティが再計算され、リンクＢのデュアルリンク信号における偶数パリティが配置されていた位置には、再計算された偶数パリティが再配置される。
【００９２】
このように、実施例１では、入力信号全体に対して誤り訂正符号化を適用することで、付加ブロック及び映像ブロックを併せた信号全体に対し、訂正可能な信号伝送を実現することができる。また、誤り訂正符号化パリティデータを、リンクＢの映像ブロックにおけるライン後方に配置することにより、当該配置以外の位置に配置する場合に比べ、誤り訂正復号化データ抽出部４３におけるデータ抽出処理の負荷を低減することができる。
【００９３】
〔実施例２〕
次に、実施例２について説明する。実施例２は、送信装置１の誤り訂正符号化設定部３０により設定される誤り訂正符号化対象ブロック設定値が“映像ブロック”であり、誤り訂正符号化対象データ設定値が“映像データ”であり、誤り訂正符号化方法設定値が“ＲＳ（９６０、９１２）符号、１シンボル１０ビット”であり、誤り訂正符号化パリティデータ配置設定値が“予約ビット”であり、また、受信装置２の誤り訂正復号化設定部４０により設定される誤り訂正復号化対象ブロック設定値が“映像ブロック”であり、誤り訂正復号化対象データ設定値が“映像データ”であり、誤り訂正復号化パリティデータ配置設定値が“予約ビット”であり、誤り訂正復号化方法設定値が“ＲＳ（９６０、９１２）符号、１シンボル１０ビット”である場合の例である。
【００９４】
（送信装置／誤り訂正符号化部）
まず、送信装置１における誤り訂正符号化部１０の処理について説明する。送信装置１における誤り訂正符号化部１０のブロック検出部３２は、シリアル／パラレル変換部３１−１，３１−２からリンクＡ，Ｂのパラレル信号を入力し、入力した信号から、誤り訂正符号化設定部３０により設定された誤り訂正符号化対象ブロック設定値の示す“映像ブロック”を検出し、検出したリンクＡ，Ｂの“映像ブロック”を誤り訂正符号化対象データ抽出部３３に出力する。
【００９５】
誤り訂正符号化対象データ抽出部３３は、ブロック検出部３２からリンクＡ，Ｂの“映像ブロック”を入力し、入力したブロックから、誤り訂正符号化設定部３０により設定された誤り訂正符号化対象データ設定値の示す“映像データ”を抽出し、抽出したデータを誤り訂正符号化対象データとして誤り訂正符号化パリティデータ算出部３４に出力する。具体的には、誤り訂正符号化対象データ抽出部３３は、リンクＡの“付加ブロック及び映像ブロック”から“映像ブロック”全体のデータを抽出し、リンクＢの“付加ブロック及び映像ブロック”から“映像ブロック”のうち予約ビット及び偶数パリティを除いたデータ（映像データ）を抽出する。
【００９６】
図１２は、実施例２による誤り訂正符号化対象データを示す図である。この誤り訂正符号化対象データは、誤り訂正符号化対象データ抽出部３３において、リンクＡ，Ｂの“映像ブロック”から、誤り訂正符号化対象データ設定値の示す“映像データ”が抽出されたものである。誤り訂正符号化対象データ設定値が“映像データ”であるから、“映像ブロック”のうち予約ビット及び偶数パリティを除いたＲＧＢのみからなる映像データが、誤り訂正符号化対象データとして抽出される。抽出されたデータは、誤り訂正符号化対象データ抽出部３３に備えたメモリに記憶される。メモリに記憶される１ラインあたりのデータ量は、映像ブロック３８４０ワード×１０ビット×２リンク−除外ビット１９２０ワード×２ビット＝７２９６０ビットとなる。１ラインの誤り訂正符号化対象データは、当該メモリに記憶されると読み出され、誤り訂正符号化パリティデータ算出部３４に出力される。
【００９７】
誤り訂正符号化パリティデータ算出部３４は、誤り訂正符号化対象データ抽出部３３から図１２に示した誤り訂正符号化対象データ（リンクＡの“映像ブロック”における映像データ、及びリンクＢの“映像ブロック”のうち予約ビット及び偶数パリティを除いた映像データ）を入力し、入力した誤り訂正符号化対象データに対し、誤り訂正符号化方法設定値の示す“ＲＳ（９６０、９１２）符号、１シンボル１０ビット”による誤り訂正符号化処理を施し、誤り訂正符号化パリティデータを算出し、リンクＢライン生成部３５−２に出力する。ここでは、１０ビットを１シンボルとして、９１２シンボルの誤り訂正符号化対象データに対して、４８シンボルの誤り訂正符号化パリティデータが算出される。ＲＳ（９６０、９１２）符号は、ＲＳ（１０２３、９７５）符号の情報データ長を短縮化した短縮化ＲＳ符号である。ＲＳ（９６０、９１２）符号を適用するために、７２９６０ビットのデータが８個の誤り訂正符号化ブロックに分割され、各々のブロックにおいて当該符号化が適用される。
【００９８】
リンクＢライン生成部３５−２は、シリアル／パラレル変換部３１−２からリンクＢのパラレル信号を入力すると共に、誤り訂正符号化パリティデータ算出部３４から誤り訂正符号化パリティデータを入力する。そして、リンクＢライン生成部３５−２は、誤り訂正符号化設定部３０により設定された誤り訂正符号化パリティデータ配置設定値が“予約ビット”であることを判定し、リンクＢのパラレル信号における映像ブロックに含まれる予約ビットの位置に、入力した誤り訂正符号化パリティデータをマッピングし、１ライン分の新たなリンクＢのパラレル信号を生成する。これにより、映像ブロックの“予約ビット”に誤り訂正符号化パリティデータが配置された１ライン分の新たなリンクＢのパラレル信号が生成される。
【００９９】
図１３は、実施例２におけるリンクＢライン生成部３５−２により生成されるデータ（新たなリンクＢのパラレル信号）を示す図である。図１に示したリンクＢの映像ブロックでは、１ラインあたりの予約ビット数は１９２０×２＝３８４０であり、全体に渡って配置された映像データのうちの予約ビットの位置に、誤り訂正符号化パリティデータＰ０：０、・・・、Ｐ０：４７９、・・・、Ｐ７：０、・・・Ｐ７：４７９が配置される。つまり、図１に示したリンクＢの映像ブロックにおける映像データを８個に分割した４８０ワード毎の誤り訂正符号化ブロックのうち、予約ビットの位置に、各々の誤り訂正符号化ブロックで算出された誤り訂正符号化パリティデータが配置される。実施例２では、誤り訂正符号化パリティデータとして、４８シンボル×１０ビット×８誤り訂正符号化ブロック＝３８４０ビットが、図１３に示すように順次配置される。
【０１００】
このように、実施例２では、図１２に示したリンクＡ，Ｂのデュアルリンク信号における映像データが誤り訂正符号化され、誤り訂正符号化されたデュアルリンク信号として、送信装置１から伝送路３を介して受信装置２へ送信される。
【０１０１】
（受信装置／誤り訂正復号化部）
次に、受信装置２における誤り訂正復号化部２１の処理について説明する。受信装置２における誤り訂正復号化部２１のブロック検出部４２は、シリアル／パラレル変換部４１−１，４１−２からリンクＡ，Ｂのパラレル信号を入力し、入力した信号から、誤り訂正復号化設定部４０により設定された誤り訂正復号化対象ブロック設定値の示す“映像ブロック”を検出し、検出したリンクＡ，Ｂの“映像ブロック”を誤り訂正復号化データ抽出部４３に出力する。
【０１０２】
誤り訂正復号化データ抽出部４３は、ブロック検出部４２からリンクＡ，Ｂの“映像ブロック”を入力し、入力したブロックに対し、誤り訂正復号化設定部４０により設定された誤り訂正復号化パリティデータ配置設定値の示す“予約ビット”の位置から誤り訂正符号化パリティデータを誤り訂正復号化パリティデータとして抽出し、誤り訂正復号化演算部４４に出力する。また、誤り訂正復号化データ抽出部４３は、入力したブロックから、誤り訂正復号化設定部４０により設定された誤り訂正復号化対象データ設定値の示す“映像データ”を抽出し、抽出したデータを誤り訂正復号化対象データとして誤り訂正復号化演算部４４に出力する。具体的には、誤り訂正復号化データ抽出部４３は、リンクＡの“映像ブロック”から“映像ブロック”全体のデータを抽出する。また、誤り訂正復号化データ抽出部４３は、誤り訂正復号化パリティデータ配置設定値が“予約ビット”であることを判定し、リンクＢの映像データがリンクＢの“予約ビット”以外の位置に配置されていることを認識し、リンクＢの“映像ブロック”の“予約ビット”以外の位置に配置された映像データを抽出する。抽出されたこれらのデータは、誤り訂正復号化対象データとして誤り訂正復号化演算部４４に出力される。
【０１０３】
誤り訂正復号化演算部４４は、誤り訂正復号化データ抽出部４３から誤り訂正復号化パリティデータ及び誤り訂正復号化対象データを入力し、誤り訂正復号化設定部４０により設定された誤り訂正復号化方法設定値の示す“ＲＳ（９６０、９１２）符号、１シンボル１０ビット”による誤り訂正復号化処理を施し、リンクＡ，Ｂの誤り訂正復号化データを演算し、リンクＡの誤り訂正復号化データをリンクＡライン生成部４５−１に出力し、リンクＢの誤り訂正復号化データをリンクＢライン生成部４５−２に出力する。
【０１０４】
リンクＡライン生成部４５−１は、シリアル／パラレル変換部４１−１からリンクＡのパラレル信号を入力すると共に、誤り訂正復号化演算部４４からリンクＡの誤り訂正復号化データを入力し、入力したリンクＡのパラレル信号に対し、誤り訂正復号化設定部４０により設定された誤り訂正復号化対象データ設定値の示す“映像データ”の位置に、入力したリンクＡの誤り訂正復号化データをマッピングする。
【０１０５】
リンクＢライン生成部４５−２は、シリアル／パラレル変換部４１−２からリンクＢのパラレル信号を入力すると共に、誤り訂正復号化演算部４４からリンクＢの誤り訂正復号化データを入力し、入力したリンクＢのパラレル信号に対し、誤り訂正復号化設定部４０により設定された誤り訂正復号化対象データ設定値の示す“映像データ”の位置に、入力したリンクＢの誤り訂正復号化データをマッピングする。また、リンクＢライン生成部４５−２は、予約ビットも所定位置にマッピングし、偶数パリティを誤り訂正復号化データに基づいて算出し、所定位置にマッピングする。
【０１０６】
図１４は、実施例２におけるリンクＡライン生成部４５−１及びリンクＢライン生成部４５−２により生成されるデータを示す図である。図１４において、誤り訂正復号化されたＲ信号をＲ’ｎ：ｉ、誤り訂正復号化されたＧ信号をＧ’ｎ：ｉ及び誤り訂正復号化されたＢ信号をＢ’ｎ：ｉとして表す。誤り訂正復号化演算部４４から出力された誤り訂正復号化データは、リンクＡライン生成部４５−１及びリンクＢライン生成部４５−２において、当該データの誤り訂正復号化前のデータと同一位置（図１を参照）に配置される。リンクＡライン生成部４５−１及びリンクＢライン生成部４５−２にて使用する、誤り訂正復号化設定部４０により設定された誤り訂正復号化対象データ設定値は、送信装置１の誤り訂正符号化設定部３０により設定された誤り訂正符号化対象データ設定値と同一であり、“映像データ”である。このため、図１４に示すように、誤り訂正符号化対象データである“映像ブロック”における“映像データ”が誤り訂正復号化されていることがわかる。
【０１０７】
また、リンクＢのデュアルリンク信号において予約ビットが配置されていた位置には、実施例１と同様に所定の予約ビットが再配置される。また、リンクＢのデュアルリンク信号における偶数パリティが配置されていた位置には、実施例１と同様に、再計算された偶数パリティが再配置される。
【０１０８】
このように、実施例２では、映像データのみに対して誤り訂正符号化を適用することで、映像データを訂正可能な信号伝送を実現することができる。また、誤り訂正符号化パリティデータを、リンクＢの映像ブロックにおける予約ビットの位置に配置することにより、本発明の実施形態による受信装置２のみならず、既存の受信装置においても、誤り訂正復号化前のデータを受信することができる。
【０１０９】
尚、本発明の実施形態による送信装置１及び受信装置２のハードウェア構成としては、通常のコンピュータを使用することができる。送信装置１及び受信装置２は、ＣＰＵ、ＲＡＭ等の揮発性の記憶媒体、ＲＯＭ等の不揮発性の記憶媒体、及びインタフェース等を備えたコンピュータによって構成される。送信装置１の誤り訂正符号化部１０に備えた誤り訂正符号化設定部３０、シリアル／パラレル変換部３１−１，３１−２、ブロック検出部３２、誤り訂正符号化対象データ抽出部３３、誤り訂正符号化パリティデータ算出部３４、リンクＡライン生成部３５−１、リンクＢライン生成部３５−２及びパラレル／シリアル変換部３６−１，３６−２の各機能は、これらの機能を記述したプログラムをＣＰＵに実行させることによりそれぞれ実現される。また、受信装置２の誤り訂正復号化部２１に備えた誤り訂正復号化設定部４０、シリアル／パラレル変換部４１−１，４１−２、ブロック検出部４２、誤り訂正復号化データ抽出部４３、誤り訂正復号化演算部４４、リンクＡライン生成部４５−１、リンクＢライン生成部４５−２及びパラレル／シリアル変換部４６−１，４６−２の各機能も、これらの機能を記述したプログラムをＣＰＵに実行させることによりそれぞれ実現される。これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもでき、ネットワークを介して送受信することもできる。
【０１１０】
以上、実施形態を挙げて本発明を説明したが、本発明は前記実施形態に限定されるものではなく、その技術思想を逸脱しない範囲で種々変形可能である。前記実施形態では、リンクＡ，Ｂのデュアルリンク信号を伝送する場合について説明したが、３Ｇ−ＳＤＩ信号、１０Ｇ−ＳＤＩ信号、ＵＨＤＴＶ１信号、ＵＨＤＴＶ２信号等を伝送する場合にも適用があり、前述した超高精細映像を伝送する伝送システムにおいて、デュアルリンク信号を複数組用いて伝送する場合にも適用がある。また、超高精細映像を伝送する伝送システムにおいて、超高精細映像を構成するデュアルリンク信号（非特許文献４の場合は４組、非特許文献５の場合は３２組）毎に、本発明の実施形態に係る誤り訂正符号化を適用することが可能である。さらに、超高精細映像を構成する複数組のデュアルリンク信号をまとめて誤り訂正符号化し、ライン生成する場合にも適用することが可能である。
【符号の説明】
【０１１１】
１  送信装置
２  受信装置
３  伝送路
１０  誤り訂正符号化部
１１−１  リンクＡ送信部
１１−２  リンクＢ送信部
２０−１  リンクＡ受信部
２０−２  リンクＢ受信部
２１  誤り訂正復号化部
３０  誤り訂正符号化設定部
３１−１，３１−２，４１−１，４１−２  シリアル／パラレル変換部
３２，４２  ブロック検出部
３３  誤り訂正符号化対象データ抽出部
３４  誤り訂正符号化パリティデータ算出部
３５−１，４５−１  リンクＡライン生成部
３５−２，４５−２  リンクＢライン生成部
３６−１，３６−２，４６−１，４６−２  パラレル／シリアル変換部
４０  誤り訂正復号化設定部
４３  誤り訂正復号化データ抽出部
４４  誤り訂正復号化演算部
【図１】
2014003492.tif 000003
【図２】
2014003492.tif 000004
【図３】
2014003492.tif 000005
【図４】
2014003492.tif 000006
【図５】
2014003492.tif 000007
【図６】
2014003492.tif 000008
【図７】
2014003492.tif 000009
【図８】
2014003492.tif 000010
【図９】
2014003492.tif 000011
【図１０】
2014003492.tif 000012
【図１１】
2014003492.tif 000013
【図１２】
2014003492.tif 000014
【図１３】
2014003492.tif 000015
【図１４】
2014003492.tif 000016